(57)【要約】【課題】食品包装袋等の扁平状物体だけでなく、段ボール箱やペットボトル等の塊状物体の密封部位の開封・切断にも適用でき、安全で使い勝手も良いカッターを提供する。【解決手段】開封用カッター１は、第１部材１０と、第２部材２０と、第１・第２部材１０，２０の第１端１１Ａ，２１Ａ同士を回動自在に接続する連結部３０と、第１部材１０の第２端１１Ｂ近くの第１面１２Ａに設けられた刃部４０と、を備える。連結部３０での回動により、第１・第２部材１０，２０は、第１面１２Ａ，２２Ａ同士が対向しかつ最も接近する第１姿勢と、第１面１２Ａ，２２Ａが互いに外側に向くように離れた第２姿勢と、を取ることができる。第１姿勢では、刃部４０と第２部材２０の第１面２２Ａとの間で扁平状被開封物を挟持・切断可能である。一方、第２姿勢では、塊状被開封物に刃部４０を押し当てて当該被開封物を切断可能である。【選択図】図１
0003208078.tif 000002
【実用新案登録請求の範囲】
【請求項１】
第１・第２端と、第１面と、が設けられた第１部材と、
第１・第２端と、前記第１部材の前記第１面と対向可能な第１面と、が設けられた第２部材と、
前記第１・第２部材の前記第１端同士を回動自在に接続する連結部と、
前記第１部材の前記第２端近くの前記第１面に設けられた刃部と、
を備えた開封用カッターであって、
前記連結部での回動により、前記第１・第２部材は、前記第１面同士が対向しかつ最も接近する第１姿勢と、前記第１面同士が互いに外側に向くように離れた第２姿勢と、を取ることができ、
前記第１姿勢では、前記刃部と前記第２部材の前記第１面との間で扁平状被開封物を挟持・切断可能であり、かつ、
前記第２姿勢では、塊状被開封物に前記刃部を押し当てて該塊状被開封物を切断可能であることを特徴とする開封用カッター。
【請求項２】
前記第１・第２部材の少なくとも一方には、他方の回動を規制する第１規制手段が形成され、かつ、
前記第１規制手段は、前記第１姿勢を取る際に前記刃部を前記第２部材の前記第１面に接触させずに前記第１面から離間距離を保つようにし、かつ、前記第１姿勢にて前記扁平状被開封物を切断する際には、前記離間距離が近づくように前記第１・第２部材の少なくとも一方を弾性変形できることを特徴とする請求項１に記載の開封用カッター。
【請求項３】
前記第１・第２部材の少なくとも一方には、他方の回動を規制する第２規制手段が形成され、かつ、
前記第２規制手段は、前記第２姿勢を取る際に前記第１部材と第２部材との対向角θをθ＝９０°〜２７０°の角度に保つことを特徴とする請求項１又は２に記載の開封用カッター。
【請求項４】
前記第１部材上の前記刃部が、前記第２部材へ向けて突出した露出状態と、前記第１部材内部に収納された収納状態と、のいずれかの状態で一時的に固定可能であることを特徴とする請求項１〜３のいずれかに記載の開封用カッター。
【請求項５】
前記第１部材及び前記第２部材の少なくとも一方に設けられた磁石をさらに備えることを特徴とする請求項１〜４のいずれかに記載の開封用カッター。
【請求項６】
第１・第２端と、第１面と、が設けられた第１部材と、
第１・第２端と、前記第１部材の前記第１面と対向可能な第１面と、が設けられた第２部材と、
前記第１・第２部材の前記第１端同士を接続しつつ互いの前記第１面間の距離が近づくように前記第１・第２部材の少なくとも一方を弾性変形できる連結部と、
前記第１部材の前記第２端近くに前記第１面に回動自在に設けられた刃部と、
を備えた開封用カッターであって、
前記刃部の回動により、前記刃部は、前記第２部材の前記第１面に向けて突出した第１姿勢と、前記第１部材の前記第２端の外側に向けて突出した第２姿勢と、を取ることができ、
前記第１姿勢では、前記刃部と前記第２部材の前記第１面との間で扁平状被開封物を挟持・切断可能であり、かつ、
前記第２姿勢では、塊状被開封物に前記刃部を押し当てて該塊状被開封物を切断可能であることを特徴とする開封用カッター。
【考案の詳細な説明】
【技術分野】
【０００１】
本考案は、一般家庭において、食品包装袋、封筒、豆腐包装パック、ペットボトルのシュリンクフィルム等の外装ラベル、野菜類を結束した状態のテープ等の被開封物を容易に開封できるカッターに関するものである。
【背景技術】
【０００２】
一般家庭においては、日常的に、食品を包装した袋や封筒を開封する必要がある。特に、飴やスナック菓子等を包装した袋や豆腐を水とともに封入したパッケージは、両手を使って袋やパッケージの開封予定部位の一部を他部から引き離す或いは引き剥がすことで開封できるよう設計されている。
【０００３】
しかしながら、これらを実際に開封しようとする際は、開封予定部位の両部が堅く密着されており、両手を使った人力では、開封予定部位を開封できない或いは開封しづらいといった不具合が多々発生していた。
【０００４】
以上のような不具合が発生した場合、食品包装袋や封筒の場合、一般家庭に通常置かれる公知のカッターやハサミを使用して対処されることが多い。一方、豆腐やゼリー等のパッケージの場合、公知の包丁を使用することが多い。
【０００５】
しかしながら、前者のカッターやハサミの場合、この目的だけに使用される訳ではないため衛生的では無いといった心配があった。後者の包丁の場合、誤って怪我をしてしまうといった危険があった。
【０００６】
このような不便さを解消する先行技術として、以下の特許文献１〜４を紹介する。
【０００７】
１．食品包装袋や封筒を開封するためのカッター（先行技術）
特許文献１及び２には、食品包装袋等を開封するためのカッターが開示されている。
【０００８】
２．豆腐やゼリーのパッケージを開封するためのカッター（先行技術）
特許文献３には、パッケージの開封に適した形状を有した専用ナイフが開示されている。
【０００９】
３．上記１及び上記２のどちらの用途にも対応可能なカッター（先行技術）
さらに、本考案者によって考案された特許文献４には、上記１及び上記２のどちらの用途にも対応可能な開封用カッターが既に開示されている。
【００１０】
（新たな用途への要望）
しかしながら、一般家庭においても、簡単な開封・切断が望まれる対象は、上述の事例に限らず、例えば、段ボール箱を密封したガムテープ、ペットボトルのシュリンクフィルム、野菜等の青果物を複数結束した状態のテープなどが挙げられる。
【００１１】
しかしながら、上記用途１の食品包装袋、上記用途２の豆腐等の包装パッケージに加え、上述したシュリンクフィルムやテープ等を開封・切断するための新たな用途（第３の用途）にも対応可能な開封カッターは現在までに存在していない。
【００１２】
例えば、特許文献１，２，４のいずれのカッターにも、Ｕ字形断面を成す本体と、そのＵ字形の内壁面に刃とが設けられるため、Ｕ字の隙間に挿入可能な食品包装袋等の扁平状被開封物に該刃を接触させることができる。しかしながら、これらの先行技術のカッターでは、Ｕ字の隙間に入らない位に大きな塊状被開封物（ペットボトル、野菜、段ボール箱等）には、被開封物の所望の箇所を切断できないばかりか、刃を当てることすらできない。
【００１３】
一方、特許文献３のカッターであれば、上記用途２に加え、この新たな用途にも対応できそうではあるものの上記用途１に対応できるものでもないし、使用時・保管時の安全性に優れたものでもない。
【００１４】
従って、これらの用途の全てに対して簡単かつ安全に対応できる製品への潜在的需要は高いであろうと本考案者は考えた。
【先行技術文献】
【特許文献】
【００１５】
【特許文献１】特開２００５−０３５６５７号公報
【特許文献２】実開平０６−０６８６７８号公報
【特許文献３】特開２０００−３２５２４４号公報
【特許文献４】登録実用新案第３１８７４２１号公報
【考案の概要】
【考案が解決しようとする課題】
【００１６】
本考案は、このような実情に鑑みて提案されたものであり、食品包装袋等の扁平状物体だけでなく、段ボール箱の包装テープやペットボトルのシュリンクフィルム等の塊状物体の密封部位の開封・切断にも適用でき、安全で使い勝手も良いカッターを提供することを目的とする。
【００１７】
すなわち、本考案は、例えば、次の構成・特徴を採用するものである。
（態様１）
第１・第２端と、第１面と、が設けられた第１部材と、
第１・第２端と、前記第１部材の前記第１面と対向可能な第１面と、が設けられた第２部材と、
前記第１・第２部材の前記第１端同士を回動自在に接続する連結部と、
前記第１部材の前記第２端近くの前記第１面に設けられた刃部と、
を備えた開封用カッターであって、
前記連結部での回動により、前記第１・第２部材は、前記第１面同士が対向しかつ最も接近する第１姿勢と、前記第１面同士が互いに外側に向くように離れた第２姿勢と、を取ることができ、
前記第１姿勢では、前記刃部と前記第２部材の前記第１面との間で扁平状被開封物を挟持・切断可能であり、かつ、
前記第２姿勢では、塊状被開封物に前記刃部を押し当てて該塊状被開封物を切断可能であることを特徴とする開封用カッター。
（態様２）
前記第１・第２部材の少なくとも一方には、他方の回動を規制する第１規制手段が形成され、かつ、
前記第１規制手段は、前記第１姿勢を取る際に前記刃部を前記第２部材の前記第１面に接触させずに前記第１面から離間距離を保つようにし、かつ、前記第１姿勢にて前記扁平状被開封物を切断する際には、前記離間距離が近づくように前記第１・第２部材の少なくとも一方を弾性変形できることを特徴とする態様１に記載の開封用カッター。
（態様３）
前記第１・第２部材の少なくとも一方には、他方の回動を規制する第２規制手段が形成され、かつ、
前記第２規制手段は、前記第２姿勢を取る際に前記第１部材と第２部材との対向角θをθ＝９０°〜２７０°の角度に保つことを特徴とする態様１又は２に記載の開封用カッター。
（態様４）
前記第１部材上の前記刃部が、前記第２部材へ向けて突出した露出状態と、前記第１部材内部に収納された収納状態と、のいずれかの状態で一時的に固定可能であることを特徴とする態様１〜３のいずれかに記載の開封用カッター。
（態様５）
前記第１部材及び前記第２部材の少なくとも一方に設けられた磁石をさらに備えることを特徴とする態様１〜４のいずれかに記載の開封用カッター。
（態様６）
第１・第２端と、第１面と、が設けられた第１部材と、
第１・第２端と、前記第１部材の前記第１面と対向可能な第１面と、が設けられた第２部材と、
前記第１・第２部材の前記第１端同士を接続しつつ互いの前記第１面間の距離が近づくように前記第１・第２部材の少なくとも一方を弾性変形できる連結部と、
前記第１部材の前記第２端近くに前記第１面に回動自在に設けられた刃部と、
を備えた開封用カッターであって、
前記刃部の回動により、前記刃部は、前記第２部材の前記第１面に向けて突出した第１姿勢と、前記第１部材の前記第２端の外側に向けて突出した第２姿勢と、を取ることができ、
前記第１姿勢では、前記刃部と前記第２部材の前記第１面との間で扁平状被開封物を挟持・切断可能であり、かつ、
前記第２姿勢では、塊状被開封物に前記刃部を押し当てて該塊状被開封物を切断可能であることを特徴とする開封用カッター。
【考案の効果】
【００１８】
本考案の開封用カッターによれば、食品包装袋等の扁平状物体だけでなく、段ボール箱の包装テープやペットボトルのシュリンクフィルム等の塊状物体の密封部位の開封・切断にも適用できる。加えて、安全で使い勝手も良いカッターが提供される。
【００１９】
具体的には、本考案のカッターは、上述のように第１・第２部材の連結部が回動自在とした構成であり、第１・第２部材は、第１面同士が対向しかつ最も接近する第１姿勢と、前記第１面が互いに外側に向くように離れた第２姿勢と、を取ることができるため、前記第１姿勢では扁平状被開封物の所望箇所を挟持・切断できるようになり、前記第２姿勢では、塊状被開封物の所望箇所に前記刃部を押し当てて当該所望箇所を切断できるようになる。
【図面の簡単な説明】
【００２０】
【図１】（ａ）は実施例の開封用カッターを示した分解斜視図であり、（ｂ）は（ａ）とは異なる方向から観た分解斜視図である。
【図２】（ａ）は第１姿勢におけるカッターの斜視図であり、（ｂ）は（ａ）とは異なる方向から観た斜視図である。
【図３】（ａ）は第１姿勢におけるカッターの正面図であり、（ｂ）は背面図である。
【図４】（ａ）は、第１姿勢のカッターにおいて、刃本体が収納された状態、（ｂ）は刃本体が露出した状態、（ｃ）は刃本体が第２部材の第１面（の隆起部）に当接した状態を示したカッターの断面図である。
【図５】第２姿勢におけるカッターの斜視図（ａ）及び断面図（ｂ）である。
【図６】第１姿勢におけるカッターで扁平状被開封物を実際に切断した様子を示した画像である。
【図７】第２姿勢におけるカッターで塊状被開封物を実際に切断した様子を示した画像である。
【考案を実施するための形態】
【００２１】
以下、本考案を図面に示す実施例に基づき説明するが、本考案は、下記の具体的な実施例に何等限定されるものではない。なお、各図において同一又は対応する要素には同一符号を用いる。
【実施例】
【００２２】
（開封用カッターの主要な構成要素）
本実施例の開封用カッター（以下、単に「カッター」とも呼ぶ。）１は、図１〜図５に示すように、主要な要素として、後述する第１・第２部材１０，２０と、連結部３０と、刃部４０と、を備える。
【００２３】
（第１・第２部材）
図示の第１部材１０には、第１・第２端１１Ａ，１１Ｂと、第１・第２面１２Ａ，１２Ｂと、が設けられる。一方、第２部材２０には、第１・第２端２１Ａ，２１Ｂと、第１部材１０の第１面１２Ａと対向可能な第１面２２Ａと、が設けられる。なお、図示では、刃部４０は第１部材１０の第２端１１Ｂ近くの第１面１２Ａに設けられている。
【００２４】
（連結部）
また、連結部３０は、第１・第２部材１０，２０の第１端１１Ａ，２１Ａ同士を回動自在に接続する。図示の例では、第１端１１Ａ，２１Ａには互いに近づくように湾曲部１１Ｃ，２１Ｃが設けられており、互いの湾曲部１１Ｃ，２１Ｃの先端には、互いに嵌合可能なヒンジ用凹部３１Ａとヒンジ用凸部３１Ｂとが設けられている。凹部３１Ａと凸部３１Ｂには、それぞれ、同径のヒンジ孔３２Ａ，３２Ｂが形成されており、これらのヒンジ孔３２Ａ，３２Ｂは、第１・第２部材１０，２０の第１端１１Ａ，２１Ａ同士が篏合された際に、同一の中心軸を有するようになり、これらのヒンジ孔３２Ａ，３２Ｂに枢軸ピン３３を挿通することによって、第１・第２部材１０，２０は連結部３０を基点として互いに回動自在となるのである。
【００２５】
（連結部での回動により得られる動作機構・効果）
連結部３０での上述の回動により、第１・第２部材１０，２０は、第１面１２Ａ，２２Ａ同士が対向しかつ最も接近する第１姿勢（例えば、図２（ａ）及び（ｂ）参照）と、第１面同士１２Ａ，２２Ａが互いに外側に向くように離れた第２姿勢（例えば、図５（ａ）及び（ｂ）参照）と、を取ることができるようになる。具体的には、第１姿勢のカッター１は、側面視で、アルファベットの「Ｕ」の字を横に向けたような形状を成す（例えば、図４（ａ）及び（ｂ）参照）。これに対して、第２姿勢のカッター１は、第１・第２部材１０，２０が連結部３０を基点に開脚したような形状を成す。
【００２６】
（第１姿勢のカッターの長所）
第１姿勢（「Ｕ」字状に閉じて保持された状態）では、刃部４０と第２部材２０の第１面２２Ａ（好ましくは、隆起部２３）との間で扁平状被開封物６の所望箇所を挟持・切断可能となる。
【００２７】
（第１姿勢のカッターの用途）
この第１姿勢でのカッター１のより具体的な用途としては、例えば、図６に示すが如く、比較的扁平な食品包装袋６の一部を第１・第２部材１０，２０の隙間Ｇ（図４（ａ）及び（ｂ）を参照）に差し込み、操作者の手指で第１・第２部材１０，２０を互いに近づくように力を加えて弾性変形（図４（ｃ）参照）させることで、この袋６を挟持・押圧することができる。この状態を維持しながら本考案のカッター１を移動させれば、当該袋６の所望箇所を切断できるようになる。
【００２８】
（第２姿勢のカッターの長所）
第２姿勢（第１・第２部材１０，２０が開脚した状態）では、第１姿勢下での第１・第２部材１０，２０の間隔（Ｕ字状の隙間Ｇ）に差し込めないような塊状被開封物７（図７の各図では、７Ａ，７Ｂ，７Ｃ）に対しても、その所望箇所に刃部４０を押し当てて当該所望箇所を切断できるようになる。
【００２９】
（第２姿勢のカッターの用途１）
この第２姿勢でのカッター１のより具体的な用途としては、例えば、図７（ａ）に示すが如く、ペットボトル７Ａのシュリンクフィルム７１に刃部４０を押し当てながら、カッター１を移動させることで、このシュリンクフィルム７１を切断し、これをペットボトル７Ａの胴部から剥がすことができるようになる。
【００３０】
（第２姿勢のカッターの用途２）
また、第２姿勢で実現可能な別の用途として、図７（ｂ）に示すが如く、段ボール箱７Ｂを密封しているガムテープ７２に刃部４０を押し当てながら、カッター１を移動させることで、このガムテープ７２を切断し、段ボール箱７Ｂを開封できるようになる。
【００３１】
（第２姿勢のカッターの用途３）
さらに、第２姿勢で実現可能なもう一つ別の用途として、図７（ｃ）に示すが如く、同種の野菜類７Ｃを結束している結束テープ７３に刃部４０を押し当てながら、カッター１を移動させることで、この結束テープ７３を切断し、野菜類７Ｃを個々に分離できるようになる。
【００３２】
（第１規制手段）
第１・第２部材１０，２０の少なくとも一方には、他方の回動を規制する第１規制手段３４（例えば、ヒンジ用凸部３１Ｂの外周壁に設けられた突起部３４）が形成され、かつ、第１規制手段３４は、第１姿勢を取る際に、刃部４０を、第２部材２０の第１面２２Ａに接触させず、かつ、第１面２２Ａから所定の離間距離（隙間Ｇ）を保つようにし、かつ、第１姿勢にて扁平状被開封物６を切断する際には、離間距離Ｇが近づくように第１・第２部材１０，２０の少なくとも一方を弾性変形できることが好ましい。これにより、第１・第２部材１０，２０は、手指等により外力を与えない限りは、所定距離Ｇだけ離間されるようになり、食品包装袋等の扁平状被開封物６を第１・第２部材１０，２０間に難なく差し入れることができるようになる。そして、外力が加えられると第１・第２部材１０，２０間の隙間Ｇが狭くなり、最終的には、図４（ｃ）に示すように、刃本体４２と第２部材２０（隆起部２３）とで被開封物６を挟持・切断できる。
【００３３】
（第２規制手段）
さらに、第１・第２部材１０，２０の少なくとも一方には、他方の回動を規制する第２規制手段（例えば、湾曲部１１Ｃ，２１Ｃ）が形成され、かつ、この第２規制手段は、カッター１が第２姿勢を取る際に、第１部材１０と第２部材２０との対向角θをθ＝９０°〜２７０°の角度に保つことが好ましい（図５（ａ）及び（ｂ）も参照）。これにより、第１・第２部材１０，２０が互いに所望角度θで開脚した状態が保たれ、過剰に開脚されることは無いので、第２姿勢においても本考案のカッター１は、安定した状態で使用することができる。特に、θ＝１５０°〜２１０°が更に好ましく、これにより、段ボール箱７Ｂ等の塊状被開封物７の表面に付着したガムテープ７２を切断する際に、第２部材２０が当該表面にぶつかって邪魔になる恐れも無くなる（図７（ｂ）も参照）。
【００３４】
（刃部の安全収納構造）
なお、刃部４０は、第２部材２０へ向けて刃本体４２が突出した露出状態（図４（ｂ）を参照）と、第１部材１０内部に刃本体４２が収納された収納状態（図４（ａ）を参照）と、のいずれかの状態で一時的に固定可能であることが好ましい。この好適な形態は、例えば、図示の構成により、実現可能である。具体的には、刃部４０には、略円柱部４１と、この略円柱部４１に根元部が埋設されかつ先端が外側に突出した刃本体４２と、が設けられる。略円柱部４１における左右の端面には凹部４３，４３が形成される。
【００３５】
ここで、第１部材１０の第２端１１Ｂは、第１部材１０の幅方向の両端から前方に延びた張り出し部１３，１３が形成される。さらに、張り出し部１３，１３の内側壁には互い対向するように延び、上述の凹部４３に対応した寸法を有した凸部１４，１４が形成される。以上のように構成された張り出し部１３，１３は、互いに離間しており、略円柱部４１がこの離間距離に対応した長さを有するようにすれば、凹部４３と凸部１４とを係合すれば、略円柱部４１を張り出し部１３，１３の間で回転自在に配置できるようになる。そして、例えば、略円柱部４１の外周の一部に設けられた摘み４４で回転操作することで、略円柱部４１に設けられた刃本体４２の露出状態と収納状態とを容易に切り替えることが可能となる。
【００３６】
（磁石の設置）
また、カッター１は、第１部材１０及び第２部材２０の少なくとも一方に設けられた磁石５０をさらに備えていてもよい。例えば、図１に示すように、薄いシート状磁石５０を第２部材２０の底面である第２面２２Ｂ（好ましくは、その凹部２４内）に設けることが好ましい。これにより、カッター１を使用しない時には、図示しない冷蔵庫の壁等の金属面にカッター１を貼り付けておくことができ、必要時に即座にカッター１を手に取ることができる。
【００３７】
（変形例）
以上、図面を参照しながら、実施例のカッター１の上記構成を説明したが、本考案はこの例に限定されない。例えば、カッター１に、回動自在な連結部３０を設けずに、刃部４０の方に連結部３０が果たす回動の役割・機能を持たせるようにしてもよい。
【００３８】
例えば、図示しないが、刃部４０を、第１部材１０の第２端１１Ｂ近くの第１面１２Ａに回動自在（例えば、第１部材１０の幅方向に延びた図示しない軸を基点に回転自在）に設けるように構成してもよい。この刃部４０の回動により、刃部４０は、第２部材２０の第１面２２Ａに向けて突出した第１姿勢と、第１部材１０の第２端１１Ｂの外側（前方）に向けて突出した第２姿勢と、を取ることができるようになる。上述の実施例と同様に、第１姿勢では、刃部４０と第２部材２０の第１面２２Ａとの間で扁平状被開封物６の所望箇所を挟持・切断可能である。一方、第２姿勢では、塊状被開封物７の所望箇所に刃部４０を押し当てて当該所望箇所を切断可能となる。
【００３９】
以上のような変形例の構成によっても、上記実施例と同様な機能を奏することができるようになる。
【産業上の利用可能性】
【００４０】
本考案の開封用カッターによれば、食品包装袋等の扁平状物体だけでなく、段ボール箱の包装テープやペットボトルのシュリンクフィルム等の塊状物体の密封部位の開封・切断にも適用でき、従来の同種の製品より適用できる対象・用途を著しく広げることができるようになった。加えて、安全で使い勝手も良いカッターが提供される。
【００４１】
このように、本考案の開封用カッターは、産業上の利用価値及び産業上の利用可能性が非常に高い。
【符号の説明】
【００４２】
１    カッター
１０    第１部材
１１Ａ，１１Ｂ，１１Ｃ    第１部材の第１端，第２端，湾曲部
１２Ａ，１２Ｂ    第１部材の第１面，第２面
１３    張り出し部
１４    凸部
２０    第２部材
２１Ａ，２１Ｂ，２１Ｃ    第２部材の第１端，第２端，湾曲部
２２Ａ，２２Ｂ    第２部材の第１面，第２面
２３    隆起部
２４    第２部材の凹部
３０    連結部
３１Ａ    ヒンジ用凹部
３１Ｂ    ヒンジ用凸部
３２Ａ，３２Ｂ    ヒンジ孔
３３    枢軸ピン
３４    第１規制手段（突起部）
４０    刃部
４１    略円柱部
４２    刃本体
４３    略円柱部の凹部
４４    摘み
５０    磁石
６    扁平状被開封物（食品包装袋）
７    塊状被開封物
７Ａ    ペットボトル
７Ｂ    段ボール箱
７Ｃ    野菜類
７１    シュリンクフィルム
７２    ガムテープ
７３    結束テープ
Ｇ    第１・第２部材間の隙間
θ    第１・第２部材間の対向角
【図１】
0003208078.tif 000003
【図２】
0003208078.tif 000004
【図３】
0003208078.tif 000005
【図４】
0003208078.tif 000006
【図５】
0003208078.tif 000007
【図６】
0003208078.tif 000008
【図７】
0003208078.tif 000009